【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
光ディスクに照射する第１の光ビームを出射する第１の光源及び前記光ディスクと仕様が異なる光ディスクに照射する第２の光ビームを出射する第２の光源を有する光ヘッドにおいて、
前記第１の光ビーム及び前記第２の光ビームを斜交させた方向とし、この斜交部において前記第１の光ビーム及び前記第２の光ビームのそれぞれの光軸を１つの共通光軸にまとめるビームスプリッタを有することを特徴とする光ヘッド。
【請求項２】
光ディスクに照射する第１の光ビームを出射する第１の光源及び前記光ディスクと仕様が異なる光ディスクに照射する第２の光ビームを出射する第２の光源を有する光ヘッドにおいて、
前記第１と第２の光源からの第１と第２の光ビームの方向を斜交する方向とし、この斜交部に前記第１と第２の光ビームの光軸を１つの共通光軸にまとめるビームスプリッタを配置し、
対物レンズの下部に位置する立ち上げミラーの反射面に前記ビームスプリッタから入射する前記共通光軸と、前記光ディスクのトラックを横切って前記対物レンズが移動する半径方向に沿った軸とのなす角度をほぼ９０度に設定し、
更に、前記第２の光源の光軸は前記共通光軸の直線延長線上であり、前記第１の光源は、前記ビームスプリッタから前記光ディスクの回転駆動部の円周方向に配置されていること特徴とする光ヘッド。
【請求項３】
光ディスクのトラッキング方向へ微動制御される対物レンズの下部に位置してレーザ光の方向転換を得る立ち上げるミラーの反射面の向きを設定するに際して、前記反射面に光源側から入射するレーザ光の光軸と、前記光ディスクのトラックを横切って前記対物レンズが移動する半径方向に沿った軸とのなす角度をほぼ９０度に設定したことを特徴とする光ヘッド。
【請求項４】
第１の光ディスクに照射する第１の光ビームを発生する第１の光源と、前記第１の光ディスクと仕様の異なる第２の光ディスクに照射する第２の光ビームを発生する第２の光源と、前記第１の光源から出射される第１の光ビームと前記第  ２の光源から出射される第２の光ビームとが選択的に入射される対物レンズとを有する光ヘッド装置において、
前記第１の光源から出射される第１の光ビームを集束光に変換し、前記第２の光源から出射される第２の光ビームを拡散光に変換して、前記対物レンズに入射させる光学手段を具備してなることを特徴とする光ヘッド。
【請求項５】
第１の光ビームを出射する第１の光源及び第２の光ビームを出射する第２の光源を有する光ヘッドが光ディスクに対して照射する光によって信号を再生もしくは記録するディスク装置において、
前記第１の光ビーム及び前記第２の光ビームの方向を斜交させた方向とし、この斜交部において前記第１の光ビーム及び前記第２の光ビームのそれぞれの光軸を一つの共通光軸にまとめるビームスプリッタを有する光ヘッドを具備したことを特徴とする光ディスク装置。
【請求項６】
第１の光ビームを出射する第１の光源及び第２の光ビームを出射する第２の光源を有する光ヘッドにより、信号の記録または再生を行う光ディスク装置において、
前記第１と第２の光源からの第１と第２の光ビームの方向をを斜交する方向とし、この斜交部に前記第１と第２の光ビームの光軸を１つの共通光軸にまとめるビームスプリッタを配置し、
対物レンズの下部に位置する立ち上げミラーの反射面に前記ビームスプリッタから入射する前記共通光軸と、前記光ディスクのトラックを横切って前記対物レンズが移動する半径方向に沿った軸とのなす角度をほぼ９０度に設定した光ヘッドを有したことを特徴とする光ディスク装置。
【請求項７】
光ディスクのトラッキング方向へ微動制御される対物レンズの下部に位置してレーザ光の方向転換を得る立ち上げるミラーの反射面の向きを設定するに際して、前記反射面に光源側から入射するレーザ光の光軸と、前記光ディスクのトラックを横切って前記対物レンズが移動する半径方向に沿った軸とのなす角度をほぼ９０度に設定した光ヘッドを有することを特徴とする光ディスク装置。
【請求項８】
第１の光ディスクに照射する第１の光ビームを発生する第１の光源と、前記第１の光ディスクと仕様の異なる第２の光ディスクに照射する第２の光ビームを発生する第２の光源と、前記第１の光源から出射される第１の光ビームと前記第  ２の光源から出射される第２の光ビームとが選択的に入射される対物レンズとを有する光ヘッドを有した装置において、
前記第１の光源から出射される第１の光ビームを集束光に変換し、前記第２の光源から出射される第２の光ビームを拡散光に変換して、前記対物レンズに入射させる光学手段を有した光ヘッドを有することを特徴とする光ディスク装置。
【請求項９】
第１の光軸を有する第１の光ビームと第２の光軸を有する第２の光ビームが平行に通過する第１の面と、
前記第２の光軸の延長線上に設けられる反射面からなる第２の面と、
前記第２の面で反射された光を第３の光軸に向けて反射し、かつ前記第１の光軸を有する第１の光ビームを前記第３の光軸に向けて直進透過する結合作用面とを有することを特徴とするビームスプリッタ。
【請求項１０】
第１の光軸を有する第１の光ビームが通過する第１の面と、
第２の光軸を有する第２の光ビームが通過する第２の面と、
前記第１の光軸に延長線上にある第３の光軸が通過する第３の面と、
第１の光ビームを前記第３の光軸上に直進透過させ、前記第２の光軸を有する第２の光ビームを前記第３の光軸上に反射させて導く結合作用手段とを有し、
前記第１の面と前記第２の面とが斜交することを特徴とするビームスプリッタ。
【請求項１１】
第１の光源からの第１の光ビームが侵入する第１の面と、
この第１の面と角度を持ち、この第１の面から侵入した前記第１の光ビームを内部で反射する第２の面と、
この第２の面で反射した第１の光ビームを更に内部で反射し第３の面から出射させるダイクロイックミラー面と、
前記ダイクロイックミラー面から前記第３の面にでて行く前記第１の光ビームの延長後方から直進して来る第２の光源からの前記第２の光ビームが入射する第４の面とを有したことを特徴とする光学部品。
【請求項１２】
第１の光源からの第１の光が侵入する第１の面と、
この第１の面に対向したダイクロイックミラー面と、
このダイクロイックミラー面に角度を持ち対向し、前記第１の面とダイクロイックミラー面を通過して侵入した前記第１の光を内部で全反射する第２の面と、  この第２の面で反射した第１の光ビームを出射する第３の面とを有し、
前記第２の面の外部から入射した第２の光ビームを前記ダイクロイックミラー面で反射させ、次に前記第２の面で全反射させて前記第３の面から出射させるように構成したことを特徴とする光学部品。
【請求項１３】
光透過特性が、第１の光ビームに対しては全面で透過させる機能を有し、第  ２の光ビームに対しては、前記全面のうち中央の一部を光透過開口とする機能を有したことを特徴とするダイクロイックフィルタ。
【請求項１４】
光透過特性が、第１の光ビームに対しては第１の開口数で透過させる機能を有し、第２の光ビームに対しては、前記第１の開口数の形成された部分の内側に、前記第１の開口数よりも小さい第２の開口数で透過させる機能を有したことを特徴とするダイクロイックフィルタ。
【請求項１５】
ガラスの基板の上面に金属膜を蒸着し、その上面にレジストを塗布する第１の工程と、
前記レジストの所望の領域をマスクを通して現像し、前記所望の領域のレジストを除去する第２の工程と、
前記レジストが除去された前記所望の領域の金属膜をエッチングして除去するとともに、かつその下部の基板をもエッチングし、この領域の基板厚みを他の領域よりも薄くする第３の工程と、
前記第３の工程の処理で前記基板がエッチングされた部分及び残存している金属膜上面にダイクロイック膜を蒸着する第４の工程と、
前記基板のエッチング部分に蒸着されている前記ダイクロイック膜を残して、他の部分の金属膜及びダイクロイック膜をリフトオフする第５の工程とを具備したことを特徴とするダイクロイックフィルタの製造方法。